(57)【要約】【課題】  棚板の陳列スペースを犠牲にすることなく、しかも落下防止フェンスに衝撃が加わっても、落下防止フェンスの取付部にダメージを与えず、棚板の前面が種々の形状をしていても確実に取り付けることができる商品陳列棚の商品落下防止装置を提供すること。【解決手段】  支持部材１０は棚板６の前端面６ａに設けられた溝条６ｂと嵌合するので、商品２０の陳列スペースを犠牲にすることはなく、また、落下防止フェンス１６に商品２０が強くぶつかったとしても、支持部材１０が弾性変形可能な軟質材で成形されているので、落下防止フェンス１６を保持している上方が開口した係止片１２ａの撓みにより落下防止フェンス１６が傾動できるので、落下防止フェンス１６や支持部材１０に損傷をない。【選択図】  図５
2006015013.tif 000002
【特許請求の範囲】
【請求項１】
棚板前面側に支持部材を介して落下防止フェンスを取り付けた商品陳列棚の商品落下防止装置であって、前記棚板の前端面には左右方向を向く溝条が設けられ、前記支持部材は、その後面側に前記溝条と嵌合する後方へ突出した取付片と、上部側に落下防止フェンスを保持する上方が開口した溝条を備え、かつ弾性変形可能な軟質材で成形されていることを特徴とする商品陳列棚の商品落下防止装置。
【請求項２】
前記支持部材の前面側には表示板を保持するための保持部が形設されている請求項１に記載の商品陳列棚の商品落下防止装置。
【請求項３】
前記保持部は前記表示板の上下端縁を支持する係止片を有している請求項２に記載の商品陳列棚の商品落下防止装置。
【請求項４】
前記取付片には前記棚板前端面に設けた溝条に挿入し易く抜き出しにくい断面鋸歯状の突出部が形成されている請求項１乃至３のいずれかに記載の商品陳列棚の商品落下防止装置。
【請求項５】
前記棚板は上面視で湾曲した前端面を有し、前記支持部材はこの湾曲前端面に沿って取り付けられている請求項１乃至４のいずれかに記載の商品陳列棚の商品落下防止装置。
【発明の詳細な説明】
【技術分野】
【０００１】
本発明は、棚板前面に支持部材を介して落下防止フェンスを取り付けた商品陳列棚の商品落下防止装置に関する。
【背景技術】
【０００２】
棚板の前面側に落下防止フェンスを取り付けた従来の商品陳列棚の商品落下防止装置として、棚板の前面側に棚板より突出する保持板を取り付け、不用意に滑り落ちてくる商品を保持板の突出した部分で受け止めて、商品陳列棚から落下することを防いたものが知られていた（特許文献１，２参照）。
【０００３】
【特許文献１】特開２０００−２７９２９０号公報（図２、支持板７参照）。
【特許文献２】特開２００２−７８５７５号公報（図４、商品保持部材３４参照）。
【発明の開示】
【発明が解決しようとする課題】
【０００４】
しかしながら、特許文献１に記載の支持板７は棚板上面に取り付けられているために陳列スペースが犠牲となり、また商品が強くぶつかると取付部に変形が生起し、支持板７を交換しなければならない恐れもあった。一方、特許文献２に記載の商品保持部材３４は棚板の前端面に設けられているので陳列スペースは犠牲にならず、しかもプライス等を表示するための掲示部材が設けられているので使い勝手がよいが、商品保持部材３４に衝撃が加わったときの問題点は依然解決されておらず、また、近年、美観上の観点から、棚板の前面形状が直線的にのびる平らな面だけでなく、多少丸みを帯びたラウンド状のもの等種々の形状のものが現れ、これらの棚板にも対応できるような商品保持部材は存在しなかった。
【０００５】
本発明は、このような事情のもとに発案されたもので、棚板の陳列スペースを犠牲にすることなく、しかも落下防止フェンスに衝撃が加わっても、落下防止フェンスの取付部にダメージを与えず、棚板の前面が種々の形状をしていても確実に取り付けることができる商品陳列棚の商品落下防止装置を提供することを目的とする。
【課題を解決するための手段】
【０００６】
上記の目的を解決するために、本発明の請求項１に記載の商品陳列棚の商品落下防止装置は、棚板前面側に支持部材を介して落下防止フェンスを取り付けた商品陳列棚の商品落下防止装置であって、前記棚板の前端面には左右方向を向く溝条が設けられ、前記支持部材は、その後面側に前記溝条と嵌合する後方へ突出した取付片と、上部側に落下防止フェンスを保持する上方が開口した溝条を備え、かつ弾性変形可能な軟質材で成形されていることを特徴としている。
この特徴によれば、支持部材は棚板の前端面に設けられた溝条と嵌合するので、商品の陳列スペースを犠牲にすることはなく、また、落下防止フェンスに商品が強くぶつかったとしても、支持部材が弾性変形可能な軟質材で成形されているので、落下防止フェンスを保持している上方が開口した溝条の撓みにより傾動されるので、落下防止フェンス等に損傷を与えることはない。更に、棚板の前端面形状が曲線状の面であっても、支持部材の柔軟性を利用して取り付け可能になっている。
【０００７】
本発明の請求項２に記載の商品陳列棚の商品落下防止装置は、請求項１に記載の商品陳列棚の商品落下防止装置であって、前記支持部材の前面側には表示板を保持するための保持部が形設されていることを特徴としている。
この特徴によれば、支持部材前面側に表示板が保持されるので、落下防止フェンスの保持と表示板による商品案内表示の２つの機能を一つの支持部材で果たせる。
【０００８】
本発明の請求項３に記載の商品陳列棚の商品落下防止装置は、請求項２に記載の商品陳列棚の商品落下防止装置であって、前記保持部は前記表示板の上下端縁を支持する係止片を有していることを特徴としている。
この特徴によれば、表示板を係止片に挟み込むだけで確実に保持でき、保持後の移動も係止片に沿って移動するだけで容易に行え、しかも表示板が硬質材であっても係止片を撓ませることで簡便に取り付けを行える。
【０００９】
本発明の請求項４に記載の商品陳列棚の商品落下防止装置は、請求項１乃至３のいずれかに記載の商品陳列棚の商品落下防止装置であって、前記取付片には前記棚板前端面に設けた溝条に挿入し易く抜き出しにくい断面鋸歯状の突出部が形成されていることを特徴としている。
この特徴によれば、取付片を棚板前面に設けた溝条に容易に挿入することができ、少しの外力を加えただけでは外れることがない。
【００１０】
本発明の請求項５に記載の商品陳列棚の商品落下防止装置は、請求項１乃至４のいずれかに記載の商品陳列棚の商品落下防止装置であって、前記棚板は上面視で湾曲した前端面を有し、前記支持部材はこの湾曲前端面に沿って取り付けられていることを特徴としている。
この特徴によれば、棚板が上面視で湾曲した前端面を有していても、支持部材の弾性変形可能な軟質材により、湾曲した棚板の前端面に沿って、隙間を生じさせることなくぴったりと取り付けることができる。
【発明を実施するための最良の形態】
【００１１】
本発明の実施例を以下に説明する。
【実施例】
【００１２】
図１は、本発明の実施例における商品落下防止装置が適用された商品陳列棚の全体像を示す斜視図であり、図２は、商品落下防止装置を構成する支持部材と表示板の取り付けを示す断面図、および支持部材と落下防止フェンスの分解組立断面図であり、図３は、ラウンド棚板に商品落下防止装置を取り付ける過程を示す斜視図であり、図４は、図１のＡ−Ａ線を示す商品落下防止装置およびラウンド棚板の断面図であり、図５は、落下防止フェンスに商品が当接した際の商品落下防止装置の状態を示す断面図である。
【００１３】
この商品陳列棚は、主にスーパーやコンビニエンス・ストアー等の商品売り場に設置されており、商品陳列棚に複数の商品を数多く載置して、消費者が直に商品の取り出しを行えるようになっている。この商品陳列棚１は、図１に示されるように、床面に木製の載置台９が設けられ、載置台９の後方に床面から上下方向に延びる金属スチール材で構成された支柱２が左右に一対にて所定間隔離間されて、複数並列され設けられている。
【００１４】
これら一対の両支柱２の間には、背面との空間の仕切りとして仕切パネル７が設けられている。支柱２には係合穴２ａが上下方向に複数形成されており、仕切パネル７の所定の高さ位置には、上下方向に木製の棚板５が複数段設けられている。この棚板５の下端面の両側部には金属スチール製のブラケット４が支柱２の係合穴２ａに係止され、この上に棚板５を載置固定して複数の商品２０を陳列している。
【００１５】
これら棚板５の左方のラウンド側には、載置台８が設置され背面の両端の支柱２間に仕切パネル７が設けられ、この仕切パネル７の両端部から格子状の側面パネル３が２枚設けられ、商品陳列棚１の正面又は背面側からも商品が見えるようになっている。載置台８には木製の上面視湾曲形状のラウンド棚板６が設けられており、前述において説明した棚板５の取り付けと同様にして、上面視湾曲形状の複数のラウンド棚板６がその下面に設けた各ブラケット４によって取り付けられおり、各ラウンド棚板６上に複数の商品２０が陳列されている。
【００１６】
各ラウンド棚板６および各棚板５の前端には、後述において詳述する支持部材１０が棚板の長さ方向に設けられ、支持部材１０の上部には、同じく棚板長さ方向に矩形板状に成形された落下防止フェンス１６が取り付けられている。この支持部材１０と落下防止フェンス１６によって商品落下防止装置１５が構成されており、各ラウンド棚板６および各棚板５の前端に落下防止フェンス１６が上部に立設されることで、各ラウンド棚板６および各棚板５に載置された商品２０の落下が防止されている。以下、本実施例のラウンド棚板６の説明において、ラウンド棚板６の正面側を前方とし、ラウンド棚板６の背面側を後方とし、ラウンド棚板６の両側方向を左右方向として説明する。
【００１７】
次に、商品落下防止装置１５について具体的に説明するが、本実施例では、ラウンド棚板６の前端部に設けられた商品落下防止装置１５を中心に以下に説明していく。図２に示されるように、商品落下防止装置１５の一部である支持部材１０は弾性変形可能な軟質材（本実施例ではプラスチック樹脂）で成形され、上部側に前述の落下防止フェンス１６を保持する上方が開口した溝条１１が左右の長さ方向に形成され、後面に後方へ突出した取付片１３が左右の長さ方向に形成されており、取付片１３に断面鋸歯状の突出部１３ａが形成されている。
【００１８】
支持部材１０の前面には商品２０の値段や商品説明が記載されたプライスカード等の表示板１７を取り付け可能な保持部１２が左右の長さ方向に形成され、保持部１２の上下端部に表示板１７の上下端縁を支持する係止片１２ａ、１２ｂが左右の長さ方向に形成されている。保持部１２への表示板１７の取り付けについては、図示されるように表示板１７を湾曲させた状態で上下の係止片１２ａ、１２ｂ間に係止させることで、確実に表示板１７を係止片１２ａ、１２ｂに挟持させることができる。
【００１９】
しかも、保持部１２に表示板１７が取り付けられた後であっても、係止片１２ａ、１２ｂに沿って、表示板１７を左右方向に摺動させるだけで容易に移動を行える。さらに図示しないが、表示板１７が金属板等の硬質材であっても係止片１２ａ、１２ｂを撓ませることで簡便に取り付けを行える。
【００２０】
次いで、支持部材１７の溝条１１の上部開口から透明ブラスチック材で成型された商品落下防止装置１５の一部である落下防止フェンス１６を挿し込むことで、簡便に落下防止フェンス１６の取り付けられ、商品落下防止装置１５が構成される。なお、溝条１１の前後幅は落下防止フェンス１６の前後幅よりも若干狭く形成されているので、しっかりと落下防止フェンス１６の挟持が行われており、外部からの衝撃等で安易に取り外れないようになっている。
【００２１】
このように構成された商品落下防止装置１５では、支持部材１０の上部の溝条１１に落下防止フェンス１６を設け、支持部材１０の前面の保持部１２に表示板１７が保持されるれるので、落下防止フェンス１６の保持と表示板１７による商品案内表示の２つの機能を一つの支持部材１０で果たせることになる。
【００２２】
以上の説明により構成された商品落下防止装置１５のラウンド棚板６への取り付けについて説明すると、図３に示されるように、ラウンド棚板６の前端面６ａには左右の長さ方向に向けて溝条６ｂが形成されている。この溝条６ｂの前方から後方にかけての深さは、支持部材１０の取付片１３の後方への長さとほぼ同じ深さ、または若干深く形成されている。
【００２３】
このラウンド棚板６の溝条６ｂに向けて、支持部材１０の取付片１３を押し込むことで、取付片１３を徐々に溝条６ｂに嵌合させていき、さらに、ラウンド棚板６の前端面６ａの上面視湾曲形状に沿って、支持部材１０の後面が当接された状態で取り付けられる。つまり、弾性変形可能な軟質材で支持部材１０が成形されているので、湾曲したラウンド棚板６の前端面に沿って、図４に示されるように隙間を生じさせることなく支持部材１０の後面がぴったりと密着され取り付けられる。この支持部材１０の湾曲により、落下防止フェンス１６においても前端面６ａの上面視湾曲形状に沿って湾曲される。
【００２４】
なお、取付片１３の溝条６ｂへの取り付けにおいて、取付片１３の断面鋸歯状の突出部１３ａは溝条６ｂに挿入し易く抜き出しにくくなるように歯が傾斜しているので、取付片１３は溝条６ｂに容易に挿入することができるが、外部からの衝突等により外力が加えられる程度で支持部材１０が抜け落ちてしまうようなことは起こらない。
【００２５】
例えば、図５に示されるように、落下防止フェンス１６に商品２０が強くぶつかった場合には、落下防止フェンス１６に外圧が加わり前方に傾倒されるとともに、落下防止フェンス１６の下部を挟持する係止片１２ａが前方に傾倒される。しかし、支持部材１０が弾性変形可能な軟質材で成形されているので、落下防止フェンス１６を保持している係止片１２ａが撓むので、落下防止フェンス１６等に何等損傷を与えることはない。しかも、落下防止フェンス１６の傾動により、表示板１７を介して係止片１２ｂも弾性変形されるので、表示板１７への外圧も分散されるので、表示板１７も何等損傷を受けることがない。
【００２６】
本実施例では、支持部材１０がラウンド棚板６および棚板５の前端面に取り付けられることで、商品２０の陳列スペースは犠牲にならず、しかも商品落下防止装置１５の一部である落下防止フェンス１６に衝撃が加わっても、落下防止フェンス１６および支持部材１０にダメージを与えることはない。そしてラウンド棚板６のように前面が種々の形状をしていても確実に商品落下防止装置１５を取り付けることができる。
【００２７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、商品落下防止装置１５を上面視で中央が前方に湾曲したラウンド棚板６の前端面６ａに取り付けているが、本発明はこれに限定されるものではなく、棚板の前端面形状が他の曲線状の面であっても、支持部材の柔軟性を利用して取り付け可能になっている。
【００２８】
また、上記実施例では、保持部１２の上下端縁に係止片１２ａ、１２ｂが形成されることで表示板１７の取り付け後も、表示板１７を左右方向に移動を行えることから好ましいが、本発明はこれに限定されるものではなく、表示板側に係止爪を設けて保持部１２の上下端縁に外側からはめこんで、表示板１７をその位置で固定させるものであってもよい。
【図面の簡単な説明】
【００２９】
【図１】本発明の実施例における商品落下防止装置が適用された商品陳列棚の全体像を示す斜視図である。
【図２】商品落下防止装置を構成する支持部材と表示板の取り付けを示す断面図、および支持部材と落下防止フェンスの分解組立断面図である。
【図３】ラウンド棚板に商品落下防止装置を取り付ける過程を示す斜視図である。
【図４】図１のＡ−Ａ線を示す商品落下防止装置およびラウンド棚板の断面図である。
【図５】落下防止フェンスに商品が当接した際の商品落下防止装置の状態を示す断面図である。
【符号の説明】
【００３０】
１                    商品陳列棚
２                    支柱
２ａ                  係合穴
３                    側面パネル
４                    ブラケット
５                    棚板
６                    ラウンド棚板
６ａ                  前端面
６ｂ                  溝条
７                    仕切パネル
８、９                載置台
１０                  支持部材（商品落下防止装置の一部）
１１                  溝条
１２                  保持部
１２ａ                係止片
１２ｂ                係止片
１３                  取付片
１３ａ                断面鋸歯状の突出部
１５                  商品落下防止装置
１６                  落下防止フェンス（商品落下防止装置の一部）
１７                  表示板
２０                  商品
【図１】
2006015013.tif 000003
【図２】
2006015013.tif 000004
【図３】
2006015013.tif 000005
【図４】
2006015013.tif 000006
【図５】
2006015013.tif 000007